(57)【要約】【課題】本発明は、加飾性に優れた二重容器を提供する。【解決手段】本発明は、内容器２と外容器１とを溶着或いは嵌合によって二重構造とした二重容器において、前記外容器１には塗られた箇所５ａと塗られていない箇所５ｂが均等な間隔でチェッカー模様として一面に配置してなる側壁部であって、前記ドットピッチ画像は前記側壁部の傾斜に従って上辺ピッチより下辺ピッチが短い扇形状を形成するとともに、前記内容器２には前記ドットピッチ画像と同ピッチで塗られた箇所へ画像を配置するように処理を施した第一画像３ａと、前記第一画像３ａを１ドット横方向にずらした第二画像３ｂを前記第一画像３ａへ結合させた結合画像のシートラベル３を形成した加飾二重容器Ａである。【選択図】  図１
2011219154.tif 000002
【特許請求の範囲】
【請求項１】
上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に前記ドットピッチ画像と同ピッチで塗られた箇所へ画像を配置するように処理を施した第一画像と、前記第一画像を１ドット横方向にずらした第二画像を前記第一画像へ結合させた結合画像のシートラベルを形成したことを特徴とする加飾二重容器。
【請求項２】
本発明は、上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に異なる被写体画像が描かれてなる第一画像と第二画像であって、前記第一画像は前記ドットピッチ画像と同ピッチで塗られた箇所へ画像を配置するように処理を施し、第二画像は前記第一画像が配置されていない箇所へ配置することで、前記第一画像と第二画像の画像同士が交互にチェッカー模様として組み合わさる結合画像のシートラベルを形成したことを特徴とする加飾二重容器。
【請求項３】
前記結合画像を前記内容器の側壁面に印刷したことを特徴とする請求項１または請求項２に記載の加飾二重容器。
【請求項４】
前記シートラベルを前記内容器の側壁面に熱溶着させたことを特徴とする請求項１乃至請求項３のいずれか１項に記載の加飾二重容器。
【請求項５】
本発明は、前記第一画像と第二画像が所定の位置で撮影された右目用画像と左目用画像であることを特徴とする請求項２乃至請求項４のいずれか１項に記載の加飾二重容器。
【請求項６】
本発明は、前記シートラベルを差し替え自在としたこと特徴とする請求項１乃至請求項５に記載のいずれか１項に記載の加飾二重容器。
【発明の詳細な説明】
【技術分野】
【０００１】
本発明は、食品等を収納する容器であり、容器側壁部に加飾を施した加飾二重容器に関するものである。
【背景技術】
【０００２】
従来から食品等を収容する容器本体に、その被内容物を表示する為、容器本体に直接印刷を施したり、印刷を施したラベルシール等の加飾用ラベルを使用したりして、識別や加飾の効果を得る事がある。そして、前記加飾用ラベルは、紙、合成紙、プラスチックフイルム等の非熱収縮性基材に粘着剤、接着剤を塗布したラベル、又は、熱収縮性フイルムを基材とした熱収縮ラベルが使用されている。しかし、容器に凹凸のある形状があれば、容器に直接印刷する事は出来ない。また、前記熱収縮性フイルムを外嵌装着した場合、シワや弛みが生じ、外観を損ねる為、形状に制約が出来てしまう。
【０００３】
両眼視差に基づく立体画像を表示する方式として、目の焦点を意図的に前後にずらして合わせることで立体的に画像を見ることが出来るステレオグラム方式や、パララックスバリヤを配置して数種のイメージや立体的に画像をみることができるパララックスバリヤ方式などがある。前記パララックスバリヤ方式を用いた技術とし、透明シートの第１面に所定ピッチの縦ストライプ状のパララックスバリヤを形成し、前記透明シートの第２面に水平方向に所定ピッチで右目用画像及び左目用画像が交互に形成された立体画像を印刷した立体写真が特許文献１に記載されている。
【０００４】
容器の側壁面に立体画像などを表現しようとした場合、パララックスバリヤシートをカットしてラベルをつくり、前記ラベルを容器の側壁面へ直接貼りつけることで識別や加飾の効果を得る方法を行うことが考えられる。
【先行技術文献】
【特許文献】
【０００５】
【特許文献１】特開平７−２４４３４３号公報
【発明の概要】
【発明が解決しようとする課題】
【０００６】
容器の側壁面にテーパーがついて傾斜しているような容器に特許文献１のような方式で作成したパララックスバリヤシートをラベル状にカットして貼り付けた場合に、パララックスバリヤシートに表示されている縦筋が容器底面に対して垂直になっている箇所付近は、立体画像や絵柄が変化しているように見えるが、パララックスバリヤシートに表示されている縦筋が外方へ遠ざかっていくにつれて、パララックスバリヤシートの貼り付けが徐々に斜めに傾斜した状態で貼り付けられてしまうので、立体画像や絵柄が変化しているように見える箇所は、容器側壁面の一部のみであり、大半の側壁面は立体画像や絵柄が変化しない画像が貼り付けられている状態である。そのため、容器の側壁面にテーパーがついているような容器には、パララックスバリヤ方式などの手法を用いて立体画像や絵柄が変化するような画像表示を容器側面に施したものは発案されていなかった。
【０００７】
本発明の目的は、上記課題を解決し、容器の側壁面にテーパーがついて傾斜しているような容器で、容器同士がスタックできる容器の側壁面全周に立体画像や絵柄が変化して見えるような構造を持たせた加飾二重容器を提供することである。
【課題を解決するための手段】
【０００８】
本発明は、上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に前記ドットピッチ画像と同ピッチで塗られた箇所へ画像を配置するように処理を施した第一画像と、前記第一画像を１ドット横方向にずらした第二画像を前記第一画像へ結合させた結合画像のシートラベルを形成した加飾二重容器である。
【０００９】
本発明は、上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に異なる被写体画像が描かれてなる第一画像と第二画像であって、前記第一画像は前記ドットピッチ画像と同ピッチで塗られた箇所へ画像を配置するように処理を施し、第二画像は前記第一画像が配置されていない箇所へ配置することで、前記第一画像と第二画像の画像同士が交互にチェッカー模様として組み合わさる結合画像のシートラベルを形成した加飾二重容器である。
【００１０】
本発明は、前記結合画像を前記内容器の側壁面に印刷した加飾二重容器である。
【００１１】
本発明は、前記シートラベルを前記内容器の側壁面に熱溶着させた加飾二重容器である。
【００１２】
本発明は、前記第一画像と第二画像が所定の位置で撮影された右目用画像と左目用画像である加飾二重容器である。
【００１３】
本発明は、前記シートラベルを差し替え自在とした加飾二重容器である。
【発明の効果】
【００１４】
本発明は、上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に前記ドットピッチ画像と同ピッチで塗られた箇所へ画像を配置するように処理を施した第一画像と、前記第一画像を１ドット横方向にずらした第二画像を前記第一画像へ結合させた結合画像のシートラベルを形成した加飾二重容器であるので、簡単な手法を用いて両眼視差に基づくモノグラム風の疑似立体イメージを見ることができる容器を提供することができる。
【００１５】
また、本発明は、上端面が開放している合成樹脂製の内容器同士がスタッキング可能な内容器と、上端面が開放しており前記内容器の外径より内径が大きい合成樹脂製の外容器同士がスタッキング可能な透明な外容器とを嵌合によって二重構造とした二重容器において、前記外容器には塗られた箇所と塗られていない箇所が均等な間隔でチェッカー模様として一面に配置してなるドットピッチ画像が描かれた側壁であって、前記ドットピッチ画像は前記側壁の傾斜に従って上辺ピッチより下辺ピッチが短い扇形状を形成するとともに、前記外容器の側壁内に異なる被写体画像が描かれてなる第一画像と第二画像であって、前記第一画像は前記ドットピッチ画像と同ピッチで塗られた箇所へ画像を配置するように処理を施し、第二画像は前記第一画像が配置されていない箇所へ配置することで、前記第一画像と第二画像の画像同士が交互にチェッカー模様として組み合わさる結合画像のシートラベルを形成した加飾二重容器であるので、簡単な手法を用いて両眼視差に基づく数種のイメージ画像や立体的な画像を見ることができる容器を提供することができる。
【００１６】
更に、本発明は、前記結合画像を前記内容器の側壁面に印刷した加飾二重容器であるので、簡単な手法を用いて両眼視差に基づく数種のイメージ画像や立体的な画像を見ることができる容器を提供することができる。
【００１７】
また、本発明は、前記シートラベルを前記内容器の側壁面に熱溶着させた加飾二重容器であるので、簡単な手法を用いて両眼視差に基づく数種のイメージ画像や立体的な画像を見ることができる容器を提供することができる。
【００１８】
更に、本発明は、前記第一画像と第二画像が所定の位置で撮影された右目用画像と左目用画像である加飾二重容器であるので、簡単な手法を用いて両眼視差に基づく数種のイメージ画像や立体的な画像を見ることができる容器を提供することができる。
【００１９】
また、本発明は、前記シートラベルを差し替え自在とした加飾二重容器であるので、本発明の用途に合致した結合画像を、好みによって差し替えることができるので、さまざまなバリエーションを楽しむことができる装飾性・意匠性に優れた加飾二重容器を提供することができる。
【図面の簡単な説明】
【００２０】
【図１】本発明の加飾二重容器の断面図と正面図である。
【図２】図１のＷに示す脚付近の拡大図である。
【図３】内容器の断面図と正面図である。
【図４】外容器の断面図と正面図である。
【図５】図４に外容器側面に施したチェッカー模様の拡大図である。
【図６】図５に示すチェッカー模様を表した説明図である。
【図７】本発明で用いる結合画像を表した説明図である。
【図８】本発明の見え方を示す断面図である。
【図９】図８の異なる見え方を示す断面図である。
【図１０】内容器同士を重ね合わせた状態を示す断面図と正面図である。
【図１１】図１０のＸに示すスタック状態を示す拡大図である。
【図１２】外容器同士を重ね合わせた状態を示す断面図と正面図である。
【図１３】図１２のＹに示すスタック状態を示す拡大図である。
【図１４】本発明の加飾二重容器を重ね合わせた状態を示す断面図と正面図である。
【図１５】図１４のＺに示すスタック状態を示す拡大図である。
【発明を実施するための形態】
【００２１】
図１乃至図４において、加飾二重容器Ａは、上端面が開放している合成樹脂製の有底容器であって、上端面が開放２ｄしているポリプロピレンやポリスチレン等の合成樹脂で成形した内容器２と、片面若しくは両面に印刷されたシートラベル３と、上端面が開放１ｄしており前記内容器２の外径より内径が大きいポリプロピレンやポリスチレン等の合成樹脂製で成形した上端面が開放１ｄした外容器１からなり、前記内容器２と前記外容器１とを溶着或いは嵌合によって二重構造とした二重容器である。前記内容器２と前記外容器１の隙間には前記シートラベル３を挟み、前記内容器２の底部２ｂに外容器１側に突出した脚２ａを設けて前記脚２ａで底ラベル４の浮き上がりを阻止させるとともに前記外容器１の底部１ｂと内容器２の底部２ｂで前記底ラベル４を保持させている。
【００２２】
また、図４乃至図６に示すように、前記外容器１の側壁面には塗られた箇所５ａと塗られていない箇所５ｂが均等な間隔でチェッカー模様５として一面に配置してなるドットピッチ画像が描かれており、図６に示すように前記ドットピッチ画像の１ドットの形状は前記側壁の傾斜に従って上辺ピッチより下辺ピッチが短い扇形状を形成している。前記塗られた箇所５ａを設けるのは、隠蔽させることが目的である。
【００２３】
更に、図７に示すように前記外容器１の側壁内に前記ドットピッチ画像と同ピッチで塗られた箇所５ａへ画像を配置するように処理を施した第一画像３ａと、前記第一画像３ａを１ドット分、横方向や下方向や斜め下方向にずらした第二画像３ｂを前記第一画像３ａへ結合させた結合画像が描かれたシートラベル３を、前記内容器２の側壁と前記外容器１の側壁の間へ挟み込むことで、両眼視差に基づくホログラム風の疑似立体イメージを容器側壁面に表現させることができる。また、前記外容器１の底面へもチェッカー模様を加飾し、前記外容器１の底部１ｂと内容器２の底部２ｂの間に第一画像と第二画像を結合した結合画像が描かれた底ラベル４を挟み込むことで、容器の全面に両眼視差に基づくホログラム風の疑似立体イメージを表現することができる。
【００２４】
更に、図７に示すように異なる被写体画像が描かれてなる第一画像３ａと第二画像３ｂをスキャナーなどを利用して画像をパソコンへ取り込み、前記第一画像３ａは前記ドットピッチ画像と同ピッチで塗られた箇所３ａへ画像を配置するように処理を施す。前記ドットピッチの１ドットの形状は、前記チェッカー模様５と同形状となる側壁の傾斜に従って上辺ピッチより下辺ピッチが短い扇形状を形成している。次に、前記第二画像３ｂは前記第一画像３ａが配置されていない箇所である塗られていない箇所５ｂへ配置することで、前記第一画像３ａと第二画像３ｂの画像同士が交互にチェッカー模様として組み合わさる結合画像のシートラベル３を形成することができる。
【００２５】
図８に示すように、前記外容器１と前記内容器２の間に前記シートラベル３を配置することで、本発明である両眼視差に基づく数種のイメージや立体的な画像を見ることができる容器を簡単に作り出すことができる。
【００２６】
更に、シートラベル３の裏面にも好みの意匠に合わせて写真や印刷物、若しくはイラストなどの画像を印刷したり、前記内容器２の底部２ｂと前記外容器１の底部１ｂで底ラベル４を挟み込むことができるので、底ラベル４表面と裏面の両方へ加飾することができ、例えば、内容物を食べ終わった後に容器の内側に画像が現れるため、装飾性に優れた容器を提供することができる。
【００２７】
また、内容物が光を嫌う場合やバリヤ性能が必要な内容物を容器内へ充填する時は、遮光性能や各種バリヤ性能等を有する機能ラベルを用いて、容器全面に前記シートラベル３と前記底ラベル４を用いて覆うことが可能であり、前記シートラベル３や底ラベル４の組み合わせによって、さまざまな効果をもたらす容器を提供することができる。
【００２８】
更に、前記シートラベル３を使用せず、前記内容器２の側壁面に直接、オフセット印刷などの技術を用いて印刷したり、前記シートラベル３をインモールド成形にて前記内容器２の側壁面へ熱溶着したりする方法をとっても良い。
【００２９】
また、図４乃至図９に示す１ドットａあたりのピッチサイズは、小さく設定すればするほど、両眼視差する前記結合画像のシートラベル３をハッキリと表示させることができる。更に、前記シートラベル３が暗めの色目で構成されている場合は、外容器１の側面に施された塗られた箇所１ａの塗りつぶす色目は、白色またはシルバーを使用することで画像の暗さが緩和されて見やすくすることができる。また、外容器１の側面に施された塗られた箇所１ａの塗りつぶす色目は、出来るだけ前記シートラベル３の中で使われていない色目、または使われているのが少ない色目を選択することで、双方の色目が干渉しあわず、よりハッキリと前記シートラベル３が立体的に見えたり、また数種のイメージ画像がハッキリと別れてみることができるものを提供することができる。
【００３０】
次に本発明の見え方を示す断面図を図８に示す。図８は、２枚の異なる画像を用いて両眼視差した場合に、頭を左右に動かすことで、交互に異なる画像を表示させることができるものである。まず、右目と左目の距離を眼間距離ｂし、前記眼間距離ｂの片目分の視野を片眼間距離ｂｂとする。両眼視差する場合に離れる距離を観察距離ｃし、前記シートラベル３のドットピッチと前記外容器１の側壁面に施したドットピッチがお互いに重なり合う位置に配置を行う。この状態で、１ドットａ÷片眼間距離ｂｂ×観察距離ｃ＝指定距離ｄを求めることで、前記チェッカー模様５と前記シートラベル３の間を、どれぐらい離せば頭を左右に動かすだけで、交互に異なる画像を表示させることが可能になるのか数値で割り出すことができる。よって、前記指定距離ｄと外容器１の側壁の肉厚は同じ距離であればよいので、前記指定距離ｄ分として求めた距離分を外容器１の側壁の厚さにすればよい。
【００３１】
次に、容器の側壁面に施された画像を立体的に見える見え方を示す断面図を図９に示す。前記第一画像３ａと第二画像３ｂが所定の位置で撮影された右目用画像と左目用画像となるシートラベル３を作る。右目用画像と左目用画像の撮影方法として、撮影しようとする物、または風景の１箇所にねらいを定め、画面の中央にもっていき、これを右目でのぞいてシャッターを切る。続いて、そのままの状態でカメラのファインダーを左目にもってゆき、１枚目のときと同じ目標物が画面の中央にくるようにしてシャッターを切る。この２枚の画像をパソコンへ取り込み、図９に示すように右目用画像となる前記第一画像３ａは前記ドットピッチ画像と同ピッチで塗られた箇所５ａへ画像を配置するように処理を施す。次に、左目用画像となる前記第二画像３ｂは前記第一画像３ａが配置されていない箇所へ配置することで、前記第一画像３ａと第二画像３ｂの画像同士が交互にチェッカー模様として組み合わさる結合画像のシートラベル３が形成できる。尚、右目用画像と左目用画像を撮影する方法は、一例を紹介しただけでこれに限定されるものではない。
【００３２】
次に、図９に示すように、前記シートラベル３を前記外容器１と前記内容器２の間に設置し、前記チェッカー模様５を−０．５ドットから＋０．５ドットの範囲内で横へずらして配置し、前記チェッカー模様５と前記シートラベル３を横へずらした状態になるように前記外容器１と前記内容器２をセットする。そうすることで、塗られていない箇所５ｂから見えるシートラベル３は、右目でＲ画像を左目でＬ画像をみることになるので、脳は左右の目から入った画像のずれを処理するため、立体的に見える画像を構成することができる。よって、本発明の画像表示シートＡを用いれば、立体的に見える加飾二重容器Ａを提供することができる。
【００３３】
本発明の加飾二重容器Ａを真正面からみた場合は、図９に示すように、前記シートラベル３に対して前記チェッカー模様を０．５ドット横にずらすことで、左右の目から入る画像は均一な状態でみることができる。尚、前記チェッカー模様を−０．５ドットから＋０．５ドットの範囲内の中で横へずらすという意味合いは、０ドットから１ドット範囲の中で、横へずらして配置するということである。但し、０ドッドまたは１ドット横へずらしたときは、前記チェッカー模様５とシートラベル３の位置関係は図８に示すような状態になるので、横へずらさない場合と同じになる。
【００３４】
図１０及び図１１において、前記内容器２同士をスタッキングした状態の詳細図である。前記内容器２のスタック棚２ｃと内容器２の脚２ａとを重ね合わせることで、内容器２同士をスタッキングする事ができる。また、図１２及び図１３は、前記外容器１同士をスタッキングした状態の詳細図であるが、外容器１のスタックリブ１ｃと外容器１の前記底部１ｂとを重ね合わせることで、外容器１同士をスタッキングする事ができる。
【００３５】
更に、図１４及び図１５は、前記内容器２と前記外容器１がセットされて加飾二重容器Ａ同士をスタッキングした状態の詳細図であるが、前記内容器２の脚２ａと底部２ｂとが交わる付近に設けられたスタック棚２ｃに、外容器１の脚１ａが重なる事によって、スタッキングを可能にした。これにより、加飾二重容器Ａを構成する前の前記内容器２単体または外容器１単体での保管や輸送ならびに加飾二重容器Ａとなった完成品同士をスタッキングすることができるため、梱包形態を小さくすることが可能であり、輸送コストの削減が可能である。また、前記内容器２単体として使用することが可能であり、外容器１単体として使用も可能であるので、別々の内容物を入れた別々の商品として販売を行い、外容器１を使用した商品と内容器２を使用した商品の２種類を消費者が購入することにより、購入後内容物を食べ終わった後の楽しみとして、前記外容器１と前記内容器２を重ね合わせることで、両眼視差に基づく数種のイメージ画像や立体的な画像を楽しむことができる上、前記シートラベル３をインターネットからダウンロードできるようなサービスを提供することで、消費者は前記シートラベル３を自由に差し替えして楽しむ事ができ、付加価値がついた商品を提供することができる。
【符号の説明】
【００３６】
１      外容器
１ａ    脚
１ｂ    底部
１ｃ    スタックリブ
１ｄ    開放
２      内容器
２ａ    脚
２ｂ    底部
２ｃ    スタック棚
２ｄ    開放
３      シートラベル
３ａ    第一画像
３ｂ    第二画像
４      底ラベル
５      チェッカー模様
５ａ    塗られた箇所
５ｂ    塗られていない箇所
ａ      １ドット
ｂ      眼間距離
ｂｂ    片眼間距離
ｃ      観察距離
ｄ      指定距離
Ａ      加飾二重容器
【図１】
2011219154.tif 000003
【図２】
2011219154.tif 000004
【図３】
2011219154.tif 000005
【図４】
2011219154.tif 000006
【図５】
2011219154.tif 000007
【図６】
2011219154.tif 000008
【図７】
2011219154.tif 000009
【図８】
2011219154.tif 000010
【図９】
2011219154.tif 000011
【図１０】
2011219154.tif 000012
【図１１】
2011219154.tif 000013
【図１２】
2011219154.tif 000014
【図１３】
2011219154.tif 000015
【図１４】
2011219154.tif 000016
【図１５】
2011219154.tif 000017